(57)【要約】【課題】塵芥をコンテナに詰め込める際において、上蓋板とコンテナ本体の後端上縁との間に生じる隙間から比重の軽い塵芥が外部へ噴出するのを確実に防止することができるコンテナを提供する。【解決手段】コンテナ本体１ａの後端開口に後壁２が開閉自在に設けられ、後壁２にはコンパクタの押出口に接続される出入口４が形成されるとともに、出入口４が上下２枚の上蓋板６と下蓋板とにより閉止可能に設けられ、出入口４と押出口とを接続した状態で、コンパクタ側に設けられた移動機構により上蓋板６を上方に移動させるとともに、コンパクタ内に設けられた押出板と下蓋板とを連結し、押出板の往復動によりコンパクタ内の塵芥が押出口から出入口４を経て圧縮移送されるようになされたクローズドタイプのコンテナにおいて、コンテナ本体１ａの上縁内側１ｂには上蓋板６に摺接する可撓性を有するラバーなどからなる摺接部材８が設けられている。【選択図】  図３
2005280951.tif 000002
【特許請求の範囲】
【請求項１】
コンテナ本体の後端開口に後壁が開閉自在に設けられ、該後壁にはコンパクタの押出口に接続される出入口が形成されるとともに、該出入口が上下２枚の上蓋板と下蓋板とにより閉止可能に設けられ、上記出入口と押出口とを接続した状態で、上記コンパクタ側に設けられた移動機構により上蓋板を上方に移動させるとともに、コンパクタ内に設けられた押出板と上記下蓋板とを連結し、押出板の往復動により上記コンパクタ内の塵芥が上記押出口から出入口を経て圧縮移送されるようになされたクローズドタイプのコンテナにおいて、
前記コンテナ本体の上縁内側には上蓋板に摺接する可撓性を有する摺接部材が設けられたことを特徴とするコンテナ。
【請求項２】
前記摺接部材は、長尺状のラバーであることを特徴とする請求項１記載のコンテナ。
【発明の詳細な説明】
【技術分野】
【０００１】
本発明は、コンパクタにより塵芥などを詰め込んで車輌によって移送するためのコンテナに関し、特にクローズドタイプのコンテナに関するものである。
【背景技術】
【０００２】
従来、この種のコンテナとしては、コンテナ本体の後端開口に後壁が開閉自在に設けられ、該後壁にはコンパクタの押出口に接続される出入口が形成されるとともに、該出入口が上下２枚の上蓋板と下蓋板とにより閉止可能に設けられ、上記出入口と押出口とを接続した状態で、上記コンパクタ側に設けられた移動機構により上蓋板を上方に移動させるとともに、コンパクタ内に設けられた押出板と上記下蓋板とを連結し、押出板の往復動により上記コンパクタ内の塵芥を上記押出口から出入口を経て圧縮移送するように構成したクローズドタイプのものが提供されている（例えば、特許文献１参照。）。
【特許文献１】特開２００３−２９２１０６号公報
【発明の開示】
【発明が解決しようとする課題】
【０００３】
ところで、上記従来のものでは、コンパクタ側に設けられた図示しない移動機構により上蓋板を上下方向に移動させるために、図４に示すように上蓋板ａとコンテナ本体ｂの後端上縁ｃとの間には隙間Ｐを設けている。
【０００４】
このため、上述のようにしてコンパクタによって塵芥をコンテナに詰め込める際において当該塵芥の比重が軽いと、塵芥を押し込む勢いによって当該塵芥が空気とともに上記隙間Ｐを通じて外部に噴出してしまい、周辺に飛散して作業環境を悪化させるという問題があった。
【０００５】
本発明は、上記問題点に鑑みてなされたもので、その目的とするところは、塵芥をコンテナに詰め込める際において、上蓋板とコンテナ本体の後端上縁との間に生じる隙間から比重の軽い塵芥が外部へ噴出するのを確実に防止することができるコンテナを提供することにある。
【課題を解決するための手段】
【０００６】
上記の目的を達成するため、請求項１に係る発明のコンテナは、コンテナ本体の後端開口に後壁が開閉自在に設けられ、該後壁にはコンパクタの押出口に接続される出入口が形成されるとともに、該出入口が上下２枚の上蓋板と下蓋板とにより閉止可能に設けられ、上記出入口と押出口とを接続した状態で、上記コンパクタ側に設けられた移動機構により上蓋板を上方に移動させるとともに、コンパクタ内に設けられた押出板と上記下蓋板とを連結し、押出板の往復動により上記コンパクタ内の塵芥が上記押出口から出入口を経て圧縮移送されるようになされたクローズドタイプのコンテナにおいて、前記コンテナ本体の上縁内側には上蓋板に摺接する可撓性を有する摺接部材が設けられたものである。
【０００７】
請求項２に係る発明のコンテナは、前記摺接部材が、長尺状のラバーからなるものである。
【発明の効果】
【０００８】
本発明によれば、コンテナ本体の上縁内側に上蓋板に摺接する可撓性を有する摺接部材を設けたことで、コンパクタによって塵芥をコンテナに詰め込める際において、比重の軽い塵芥が上記上縁と上蓋板の間に生じる隙間を通じて外部に噴出するのを確実に防止することができる。
【発明を実施するための最良の形態】
【０００９】
以下、本発明の実施の形態について図面を参照して説明する。
【００１０】
図１及び図２は、コンテナの全体構成を示している。
【００１１】
コンテナ１は、上面や周側面が閉塞された所謂クローズドタイプのもので、コンテナ本体１１の後端開口には後壁としてのテールゲート２が設けられている。
【００１２】
テールゲート２は、コンテナ１の後端上部位置に設けた左右一対の支軸３に揺動自在に支持されている。上記テールゲート２の略中央には出入口４が形成され、該出入口４には下蓋板としてのプッシュプレート５が下方に配置されるとともに、該プッシュプレート５の上方に上蓋板としてのサブプレート６が配置され、これらプレート５、６によって上記出入口４を閉止するようになっている。
【００１３】
このコンテナ１は、図示はしないが従来周知のコンパクタにその後部が着脱自在になされている。コンパクタの内部には油圧シリンダで往復操作される押出板を備えている。そして、コンテナ１とコンパクタとの連結時において、上部に設けられたホッパから投入された塵芥を、押出板でコンパクタ前端の押出口に向って押し出し、この押出口に連通する前記出入口４を介してコンテナ１の内部へ圧縮移送するようにしている。
【００１４】
詳しくは、コンパクタの下面中央には図示しない連結シリンダが設けられ、コンテナ１を捕捉して引き寄せ、あるいは充填の終ったコンテナ１を押し出し操作するようにしている。この場合、コンテナ１は底部前後左右に設けられた車輪１ａを介して移動するようになっており、連結シリンダによるコンテナ１の引き寄せ操作、又は押し出し操作がスムーズに行えるようにしている。
【００１５】
そして、上記コンテナ１のテールゲート２がコンパクタの前端に接続されると、上記プッシュプレート５がコンパクタの押出板に係合されて出入口４とコンパクタの押出口とが連通（接続）する。これにより押出板の往復動作に供ってプッシュプレート５がコンパクタ内とコンテナ１内との間で往復動し、当該プッシュプレート５によってコンパクタの上部ホッパから投入された塵芥を押出口、出入口４を通じてコンテナ１の内部へ圧縮移送するようにしている。つまり、塵芥の圧縮移送は実質的にプッシュプレート５が行なうように構成されている。
【００１６】
また、上記テールゲート２には、出入口４にプッシュプレート５が閉止された状態で該プッシュプレート５を固縛する左右一対の閂部材５１が設けられている。該閂部材５１は、コンパクタの左右両側部に設けられた一対の伸縮シリンダ（図示せず）によりプッシュプレート５から抜差し自在になされている。具体的には、コンテナ１をコンパクタに接続したときに、伸縮シリンダの伸長により閂部材５１を抜き取って出入口４でのプッシュプレート５の固縛状態を解除する一方、伸縮シリンダの収縮により閂部材５１を外方から差し込んでプッシュプレート５を固縛するようになっている。
【００１７】
一方、前記サブプレート６は、上記プッシュプレート５を出入口４に配置した場合にこの出入口４の上部に生じる隙間を埋めるためのもので、前記プッシュプレート５と同様に出入口４の上部にサブプレート６が閉止された状態で該サブプレート６を固縛する左右一対の閂部材６１が設けられている。閂部材６１は、コンパクタの左右両側部に設けられた一対の伸縮シリンダ（図示せず）によりサブプレート６から抜差し自在になされている。具体的には、コンテナ１をコンパクタに接続したときに、伸縮シリンダの伸長により閂部材６１を抜き取って出入口４でのサブプレート６の固縛状態を解除する一方、伸縮シリンダの収縮により閂部材６１を外方から差し込んでサブプレート６を固縛するようになっている。
【００１８】
そして、このサブプレート６は、上述したようにプッシュプレート５により塵芥を詰め込む際には、コンパクタ側に設けられた図示しない移動機構と一体に接続され、この移動機構により上方に移動するようになっている。これによりプッシュプレート５の上部にはサブプレート６が上方に移動した分だけの空間部が生じ、この空間部によって塵芥の噛み込みなどを防止しながらプッシュプレート５によりコンテナ１内へ塵芥が円滑に詰め込まれるようにしている。
【００１９】
また、テールゲート２には、プッシュプレート５及びサブプレート６が出入口４に閉止された状態で、これらプッシュプレート５とサブプレート６との間に生じる隙間Ｐ（図１参照）を閉塞するカバー材７が開閉自在に設けられている。
【００２０】
カバー材７は、例えばゴム製の板状体からなり、プッシュプレート５及びサブプレート６の閉止時にはプッシュプレート５の上端部とサブプレート６の下端部に外側から当接して隙間Ｐを閉じるようになっている。このカバー材７は、略Ｕ字状のカバー腕７１の先端部（中間部）に取り付けられ、このカバー腕７１の両端部は、前記支軸３に回動自在に取り付けられている。
【００２１】
そして、コンテナ１をコンパクタに接続した際には、コンパクタ側に設けた図示しない当接部材がカバー腕７１の両端に設けられたカムレバー７２に前方から当接することにより、当該カバー腕７１を徐々に起立させながら図１において反時計回りの方向に回動させ、これによりカバー材７をコンテナ１の後端部上面上に退避させるようにしている。
【００２２】
なお、これ以外に図示はしないが、テールゲート２を閉じた状態で固縛保持する固縛機構、コンパクタに接続されたコンテナ１を移動不能に固定保持する固定機構なども設けられている。
【００２３】
そして、このように構成されたコンテナ１は、その前壁１ｃ上部に係合ピン１ｂが設けられており、この係合ピン１ｂに図示しないコンテナ荷役車輌の荷役装置のフックを係止させて当該荷役装置によって車輌の車体上に積込むことができるとともに、その逆に車体上から前述したようなコンパクタを備えた施設や地上等に降ろすことができる。
【００２４】
また、荷役装置により車体上でコンテナ１を後方に傾動（ダンプ）させることでこのコンテナ１内の積載物（塵芥）をテールゲート２の開放によって外部に排出することができる。
【００２５】
ところで、このように構成されたコンテナ１には、図３に示すように前記サブプレート６とコンテナ本体１１の後端上縁１２とに亘って摺接部材８が介装されている。
【００２６】
即ち、サブプレート６と後端上縁１２との間にはサブプレート６が上下に移動するために必要な隙間Ｐが設けられており、この隙間Ｐを塞ぐように摺接部材８が設けられている。
【００２７】
具体的には、摺接部材８は、可撓性を有し且つ上記隙間Ｐの横幅（コンテナ１の左右方向）と略同じ長さの長尺状の板状体であって、例えばラバーによって構成されている。
【００２８】
そして、この摺接部材８は、先端部が前記サブプレート６の内側面に摺接するように後端上縁１２から後方に所定長さ突出するようにして、その基端部が後端上縁１２の下面（内側）に固設部材８１によって固設されている。
【００２９】
このように摺接部材８を設けることで、サブプレート６の上下移動を許容しながら上記隙間Ｐ全体を閉塞することができる。
【００３０】
これにより、前述したようにコンパクタによって塵芥をコンテナ１に詰め込める際において、比重の軽い塵芥が上記隙間Ｐを通じて外部に噴出するのを確実に防止することができ、この隙間Ｐを通じての周辺への塵芥の飛散を防止して良好な作業環境を確保することができる。
【図面の簡単な説明】
【００３１】
【図１】コンテナの全体構成を示す側面図である。
【図２】コンテナの全体構成を示す背面図である。
【図３】本発明の主要部をなす摺接部材の取付状態を示す側面から見た拡大の断面図である。
【図４】従来におけるサブプレートとコンテナ本体の上端上縁との取付関係を示す側面から見た拡大の断面図である。
【符号の説明】
【００３２】
１  コンテナ
２  テールゲート（後壁）
４  出入口
５  プッシュプレート（下蓋板）
６  サブプレート（上蓋板）
８  摺接部材
【図１】
2005280951.tif 000003
【図２】
2005280951.tif 000004
【図３】
2005280951.tif 000005
【図４】
2005280951.tif 000006